(57)【特許請求の範囲】
【請求項１】
原稿を載置可能な原稿載置部が上面に設けられた筐体と、
前記筐体の内部で前記原稿載置部の下方を前記原稿載置部に沿って所定方向へ移動しながら前記原稿載置部に載置された原稿の画像を読み取る読取手段と、
前記読取手段の動作を制御する制御手段と、
前記読取手段と前記制御手段とを接続するフラットケーブルと
を備え、
前記フラットケーブルは、一端が前記読取手段に接続されるとともに、前記一端よりも他端側の部分が前記筐体側にある保持部において保持されることにより、前記一端から前記保持された部分までの範囲が、前記読取手段の移動に追従する可動範囲とされており、しかも、当該可動範囲は、前記読取手段の移動方向に交差する方向へと延びるとともに、少なくとも一部が伸縮可能な構造とされることにより、前記読取手段が前記保持された部分へ最も接近する位置へ移動した際には縮んだ状態となる一方、前記読取手段が前記保持された部分から最も離間する位置へ移動した際には伸びた状態となる構造とされ、
さらに、前記筐体の内部には、前記読取手段の下方において前記読取手段の移動方向へと延びる形態とされた延設部材が設けられており、当該延設部材の下側に前記可動範囲が通されている
ことを特徴とする画像読取装置。
【請求項２】
前記延設部材は、前記読取手段が移動する際に前記所定方向へと案内するガイド部材である
ことを特徴とする請求項１に記載の画像読取装置。
【請求項３】
前記フラットケーブルは、前記可動範囲の両端に、伸縮可能に折り曲げられた部分を有する
ことを特徴とする請求項１又は請求項２に記載の画像読取装置。
【請求項４】
前記フラットケーブルにおいて、前記可動範囲の両端間にある前記折り曲げられた部分以外の部分は、折り曲げ箇所のない形態にされている
ことを特徴とする請求項３に記載の画像読取装置。
【請求項５】
前記フラットケーブルは、前記折り曲げ箇所のない形態にされている部分が、前記延設部材の下側に通されることにより、前記可動範囲が前記延設部材よりも上方へ変位するのを抑制してある
ことを特徴とする請求項４に記載の画像読取装置。
【請求項６】
前記フラットケーブルは、前記読取手段が移動しても、前記伸縮可能に折り曲げられた部分の上方へ前記読取手段が到来しない位置に配線されている
ことを特徴とする請求項３〜請求項５のいずれか一項に記載の画像読取装置。
【発明の詳細な説明】
【技術分野】
【０００１】
本発明は、画像読取装置に関する。
【背景技術】
【０００２】
従来、イメージスキャナ装置の一形態として、フラットベッド型と呼ばれる形態のものが知られている（以下、フラットベッドをＦＢと略称する。）。この種のＦＢ型イメージスキャナは、透明材料で形成された原稿載置部が筐体の上面側に設けられていて、その原稿載置部の下方を原稿載置部に沿って移動するイメージセンサで、原稿載置部に載置された原稿の画像を読み取る仕組みになっている。
【０００３】
イメージセンサとしては、ＣＣＤ（Charge Coupled Device）やＣＩＳ（Contact Image Sensor）等が利用され、これらのイメージセンサで光学的に読み取った画像を電気信号に変換し、その電気信号を信号線経由で制御部へと伝送している。信号線としては、一般に、平帯形状のフラットケーブルが利用されることが多く、特に、フレキシブルフラットケーブル（以下、ＦＦＣと略称する。）と呼ばれるものが多用されている（例えば、特許文献１参照。）。
【先行技術文献】
【特許文献】
【０００４】
【特許文献１】特開２００４−１０４３９２公報
【発明の概要】
【発明が解決しようとする課題】
【０００５】
ところで、上述のようなＦＢ型イメージスキャナにおいては、図４（ａ）に例示するように、フラットケーブル９１の一部にＵターン部分９１ａを設けることで、フラットケーブル９１が変形しつつイメージセンサ９３の往復移動に追従可能とされているものが多い。
【０００６】
具体的には、イメージセンサ９３が往路を移動する際には、図４（ｂ）に示すように、Ｕターン部分９１ａの位置は、フラットケーブル９１上で徐々にイメージセンサ９３から離れる方向に（例えば位置Ｐ１から位置Ｐ２へと）変動する。一方、イメージセンサ９３が復路を移動する際には、図４（ｃ）に示すように、Ｕターン部分９１ａの位置は、フラットケーブル９１上で徐々にイメージセンサ９３へ近づく方向に（例えば位置Ｐ２から位置Ｐ１へと）変動する。このようにフラットケーブル９１が変形することで、フラットケーブル９１がイメージセンサ９３の移動に追従するのである。
【０００７】
しかしながら、上記のようなＵターン部分９１ａを設けた場合、例えば、装置が一時的に高温環境下に置かれたりすると、図４（ｄ）に例示するような形態のまま、フラットケーブル９１に予期しない曲げ癖が付くことがあった。そして、このような曲げ癖が付くと、イメージセンサ９３が往路を移動する際には、図４（ｅ）に例示するように、曲げ癖の付いた部分が上方へと持ち上げられ、その結果、フラットケーブル９１と原稿載置部９５との接触を招くことがあった。
【０００８】
また、このような接触がしばしば起こると、フラットケーブル９１の表面にある樹脂部分が摩耗するおそれがあり、また、原稿載置部９５の汚損を招き、画像の読み取り不良を起こす原因になるおそれがあった。
【０００９】
さらに、フラットケーブル９１に曲げ癖が付いたことが原因で、図４（ｆ）に例示するように、曲げ癖の付いた部分をイメージセンサ９３と筐体底部９７との間に噛み込んでしまうこともあり、フラットケーブル９１が逆向きに折れ曲がるなどして、フラットケーブル９１のジャムが発生するおそれもあった。
【００１０】
このような問題は、図４（ｇ）〜図４（ｈ）に例示したように、原稿載置部９５と筐体底部９７との距離を短縮して装置の薄型化を図ると、より発生しやすくなる傾向があり、このことが装置の薄型化を妨げる一因となっていた。
【００１１】
こうした問題に対し、特許文献１では、筐体の底に凹部又は溝部を設けて、その凹部又は溝部内へフラットケーブルを逃がすことにより、フラットケーブルのＵターン部分が、原稿載置部を形成するガラス板などに接触するのを回避する、という技術が提案されている。
【００１２】
しかし、このような凹部又は溝部を設けるには、凹部又は溝部相当分だけ筐体の底を下方へ膨出させる必要があるため、イメージスキャナ部の筐体そのものについて、薄型化を図ることは困難である、という別の問題がある。
【００１３】
この問題に関し、特許文献１に記載の技術では、イメージスキャナ部の筐体が下方へ膨出しても、その膨出部分をプリンタ部の筐体内へと嵌め込むことで、装置全体としての高さは増大しない、とされている。
【００１４】
しかし、イメージスキャナ部の膨出部分が嵌め込まれる部分は、そもそもプリンタ部の筐体において無駄な空間になっていたとは限らず、そのような空間をあえて確保しなければならない場合もある。その場合、そのような空間を確保した分だけ、プリンタ部の筐体は大型化するおそれがあり、その場合、装置全体としての高さが増大しないかどうかは保証の限りでない。
【００１５】
また、プリンタ部を構成する部品以外に、イメージスキャナ部の膨出部分まで、プリンタ部の筐体に入り込むことになるため、互いの干渉を避けることが可能な位置に各部を配置しようとすると、イメージスキャナ部の膨出部分が増えた分だけ、設計の自由度が低下することにもなる。
【００１６】
つまり、上記のような技術では、イメージスキャナ部そのものの薄型化を図ることは難しく、イメージスキャナ部の下方にプリンタ部が配置されている場合でも、期待するほどの薄型化を実現できるとは限らず、むしろ、設計に関する自由度の低下を招きやすい、という問題があった。
【００１７】
本発明は、上記問題を解決するためになされたものであり、その目的は、フラットケーブルに予期しない曲げ癖が付くのを回避でき、しかも、比較的容易に薄型化を図ることが可能で、薄型化した場合でも、フラットケーブルと原稿載置部との接触を抑制可能な画像読取装置を提供することにある。
【課題を解決するための手段】
【００１８】
以下、本発明において採用した構成について説明する。
請求項１に記載の画像読取装置は、原稿を載置可能な原稿載置部が上面に設けられた筐体と、前記筐体の内部で前記原稿載置部の下方を前記原稿載置部に沿って所定方向へ移動しながら前記原稿載置部に載置された原稿の画像を読み取る読取手段と、前記読取手段の動作を制御する制御手段と、前記読取手段と前記制御手段とを接続するフラットケーブルとを備え、前記フラットケーブルは、一端が前記読取手段に接続されるとともに、前記一端よりも他端側の部分が前記筐体側にある保持部において保持されることにより、前記一端から前記保持された部分までの範囲が、前記読取手段の移動に追従する可動範囲とされており、しかも、当該可動範囲は、前記読取手段の移動方向に交差する方向へと延びるとともに、少なくとも一部が伸縮可能な構造とされることにより、前記読取手段が前記保持された部分へ最も接近する位置へ移動した際には縮んだ状態となる一方、前記読取手段が前記保持された部分から最も離間する位置へ移動した際には伸びた状態となる構造とされ、さらに、前記筐体の内部には、前記読取手段の下方において前記読取手段の移動方向へと延びる形態とされた延設部材が設けられており、当該延設部材の下側に前記可動範囲が通されていることを特徴とする。
【００１９】
このように構成された画像読取装置によれば、読取手段が移動する際には、フラットケーブルの可動範囲が読取手段に追従して伸縮する。しかも、フラットケーブルの可動範囲は、延設部材の下側に通されているので、当該延設部材よりも上方への変位が抑制される。
【００２０】
そのため、フラットケーブルの一部に上下方向へＵターンする部分が設けられ、そのＵターン部分の位置を読取手段の移動に伴ってフラットケーブル上で変動させる構造とされた従来の画像読取装置とは異なり、フラットケーブルにはＵターン部分としての曲げ癖が付くことがない。
【００２１】
したがって、そのような曲げ癖の付いた箇所が上方へと持ち上げられて原稿載置部に接触する、といった事態に至ることもなく、そのような接触に伴って原稿載置部を傷つけたりフラットケーブルの損傷を招いたりする、といったこともない。また、このように、原稿載置部とフラットケーブルの接触が抑制されるので、両者間の距離を従来以上に接近させることができるようになり、筐体の薄型化を図ることも可能となる。
【００２２】
請求項２に記載の画像読取装置は、請求項１に記載の画像読取装置において、前記延設部材は、前記読取手段が移動する際に前記所定方向へと案内するガイド部材であることを特徴とする。
【００２３】
このように構成された画像読取装置によれば、読取手段を所定方向へと案内するガイド部材が、上述の延設部材としても利用されているので、ガイド部材の他に専用の延設部材を別途設けなくても済み、部品点数の削減や装置構成のコンパクト化を図ることができる。
【００２４】
請求項３に記載の画像読取装置は、請求項１又は請求項２に記載の画像読取装置において、前記フラットケーブルは、前記可動範囲の両端に、伸縮可能に折り曲げられた部分を有することを特徴とする。
【００２５】
このように構成された画像読取装置によれば、読取手段の移動に伴って可動範囲が伸びる場合には、可動範囲の両端にある折り曲げられた部分が伸びるので、読取手段との接続部分や、筐体側の保持部による保持部分に過大な負荷がかかることがない。また、読取手段の移動に伴って可動範囲が縮む場合には、可動範囲の両端にある折り曲げられた部分が、その折り目に従って元の状態に戻るように縮むので、可動範囲の一部が上方へ大きく湾曲することはなく、フラットケーブルが原稿載置部に接触することもない。
【００２６】
請求項４に記載の画像読取装置は、請求項３に記載の画像読取装置において、前記フラットケーブルにおいて、前記可動範囲の両端間にある前記折り曲げられた部分以外の部分は、折り曲げ箇所のない形態にされていることを特徴とする。
【００２７】
このように構成された画像読取装置によれば、前記可動範囲の両端間には、折り曲げ箇所のない形態にされた部分があるので、当該部分ではフラットケーブルの高さ方向寸法を抑制することができ、装置の薄型化に寄与する。
【００２８】
請求項５に記載の画像読取装置は、請求項４に記載の画像読取装置において、前記フラットケーブルは、前記折り曲げ箇所のない形態にされている部分が、前記延設部材の下側に通されることにより、前記可動範囲が前記延設部材よりも上方へ変位するのを抑制してあることを特徴とする。
【００２９】
このように構成された画像読取装置によれば、折り曲げ箇所のない形態にされている部分が、延設部材の下側に通されているので、延設部材の下側に確保すべきスペースの高さ方向寸法を小さくでき、その分、装置の薄型化を図ることができる。
【００３０】
請求項６に記載の画像読取装置は、請求項３〜請求項５のいずれか一項に記載の画像読取装置において、前記フラットケーブルは、前記読取手段が移動しても、前記伸縮可能に折り曲げられた部分の上方へ前記読取手段が到来しない位置に配線されていることを特徴とする。
【００３１】
このように構成された画像読取装置によれば、読取手段が移動しても、伸縮可能に折り曲げられた部分の上方へは読取手段が到来しないので、伸縮可能に折り曲げられた部分の高さ方向寸法以上の空間を、読取手段の下方に確保しなくても済む。したがって、伸縮可能に折り曲げられた部分の上方へ読取手段が到来する構造になっているものに比べ、装置の薄型化を図ることができる。
【図面の簡単な説明】
【００３２】
【図１】画像読取装置を備えた複合機を示す図であり、（ａ）は複合機の平面図、（ｂ）は複合機の正面図。
【図２】画像読取装置を示す図であり、（ａ）は画像読取装置を正面側から見た縦断面図、（ｂ）は画像読取装置が備えるＦＢ本体部を左側面側から見た縦断面図。
【図３】ＦＢ本体部を平面視した図であり、（ａ）はイメージセンサが待機位置にある状態を示す説明図、（ｂ）はイメージセンサが待機位置から最も遠い位置へ移動した状態を示す説明図。
【図４】フラットケーブルのＵターン部分に関する問題を説明するための説明図。
【発明を実施するための形態】
【００３３】
次に、本発明の実施形態について一例を挙げて説明する。
［複合機の構造］
図１（ａ）及び同図（ｂ）に示す複合機１は、画像読取装置としての機能（スキャン機能）に加え、その他の機能（例えば、プリント機能、コピー機能、ファクシミリ送受信機能など）を兼ね備えたものである。なお、以下の説明においては、複合機１が備える各部の相対的な位置関係をわかりやすく説明するため、図中に併記した上下左右前後の各方向を利用する。
【００３４】
複合機１は、メインユニット２と、メインユニット２の上部に搭載されたスキャナユニット３を備えている。スキャナユニット３は、後端側を回動中心にして前端側が上下に変位する方向へ回動可能に構成され、これにより、メインユニット２の上部開口を閉鎖する位置又は同上部開口を開放する位置へと変位可能な構造とされている。
【００３５】
また、スキャナユニット３は、ＦＢ型イメージスキャナに対しＡＤＦが付加された構造とされたもので、図２（ａ）に示すように、ＦＢ本体部５と、このＦＢ本体部５の上面側を覆うＡＤＦ部７とを備えている。
【００３６】
ＡＤＦ部７は、後端側を回動中心にして前端側が上下に変位する方向へ回動可能に構成され、これにより、ＦＢ本体部５上面にある原稿載置面を覆う位置又は同原稿載置面を露出させる位置へと変位可能な構造とされている。
【００３７】
なお、メインユニット２の前部上側には、図１（ａ）及び同図（ｂ）に示すように、利用者によって操作される操作パネル８が設けられている。
［スキャナユニットの詳細］
次に、スキャナユニット３について、さらに詳細に説明する。
【００３８】
スキャナユニット３において、ＦＢ本体部５の上面側には、図２（ａ）及び同図（ｂ）に示すように、ＦＢガラス１１、ＡＤＦガラス１２などが配設されている。また、ＡＤＦ部７の下面側で、ＡＤＦ部７が閉じられた際にＦＢガラス１１と対向する位置には、スポンジ及びプラスチックフィルムを積層して構成された押さえ部材１３が配設されている。
【００３９】
ＦＢ本体部５には、イメージセンサ１４が設けられている。本実施形態において、イメージセンサ１４としては、密着イメージセンサ（Contact Image Sensor）が利用されている。このイメージセンサ１４は、ＦＢ本体部５に設けられたキャリッジ１５に搭載されている。
【００４０】
キャリッジ１５には軸受１６が設けられ、この軸受１６には左右方向に延設された金属軸１７が通されている。また、金属軸１７の近傍には、金属軸１７と平行な方向へ延びるタイミングベルト１８が張架されており、このタイミングベルト１８とキャリッジ１５が連結されている。
【００４１】
スキャナユニット３がＦＢスキャナとして利用される場合、図示しない動力源からの動力によってタイミングベルト１８が駆動される。これにより、イメージセンサ１４は、上述のＦＢガラス１１及びＡＤＦガラス１２の直下となる位置を、キャリッジ１５とともに左右方向へ往復移動する。
【００４２】
ＦＢ本体部５の筐体底部５ａ上には、ＦＦＣ１９が配線されている。このＦＦＣ１９は、イメージセンサ１４とメインユニット２に内蔵された制御部２０とを接続する通信ケーブルで、一端１９ａがイメージセンサ１４に接続され、他端１９ｂが制御部２０に接続されている。
【００４３】
ＦＦＣ１９において、一端１９ａよりも他端１９ｂ側となる部分１９ｃは、ＦＢ本体部５の筐体側にある保持部５ｂにおいて保持され、これにより、ＦＦＣ１９の一端１９ａから保持された部分１９ｃまでの範囲が、イメージセンサ１４の移動に追従する可動範囲とされている。
【００４４】
また、ＦＦＣ１９の可動範囲は、可動範囲の両端部分１９ｄ，１９ｅが、蛇腹状に折りたたまれることにより、伸縮可能な構造になっている。一方、両端部分１９ｄ，１９ｅの間にある部分１９ｆは、折りたたまれた構造にはされておらず、このフラットな部分１９ｆが金属軸１７及びタイミングベルト１８の下方に通されている。
【００４５】
さらに、ＡＤＦ部７には、動力源から伝達される動力で駆動されるローラとして、供給ローラ２１、分離ローラ２２、メイン搬送ローラ２３、及び排出ローラ２４を備えている。また、これらのローラ２１〜２４と協働して原稿を挟み込みつつ従動するローラとして、第一ピンチローラ２６、第二ピンチローラ２７、第三ピンチローラ２８を備えている。
【００４６】
これらのローラ群により、原稿台３１に載せられた原稿を排出部３２へと搬送する搬送経路（図２（ａ）に破線で示した経路）が構成されている。ＡＤＦガラス１２の上方には原稿ホルダ３３が配設され、上述の搬送経路を搬送される原稿は、原稿ホルダ３３によってＡＤＦガラス１２側に押し当てられる。
【００４７】
以上のように構成されたスキャナユニット３は、ＦＢスキャナとして利用される場合には、まず、ＡＤＦ部７が開かれて原稿がＦＢガラス１１上に載置される。ＡＤＦ部７は、ＦＢ本体部５に対して回動可能な他、ＦＢ本体部５に対して上下方向へ変位可能な構造にもなっている。そのため、ＡＤＦ部７を上方へと持ち上げれば、比較的厚みのある原稿（例えば書籍等）であっても、ＦＢ本体部５とＡＤＦ部７との間に原稿を挟み込むことができる。
【００４８】
原稿をセットしたら、後は、ＦＢスキャンを指示する操作（例えば、操作パネル８での操作やＰＣからの遠隔操作など）を行うと画像の読み取りを開始する。画像の読み取りを開始した場合、イメージセンサ１４は、複合機１の前後方向を主走査方向、左右方向を副走査方向として、ＦＢガラス１１の下方を副走査方向へ移動しながら、主走査方向に並ぶ複数の画素を繰り返し読み取ることになる。
【００４９】
イメージセンサ１４は、副走査方向への移動を開始する前は、図３（ａ）に示すように、待機位置にある。この状態において、ＦＦＣ１９は、イメージセンサ１４の長手方向と略平行な方向へ延びる状態にあり、しかも、可動範囲の両端部分１９ｄ，１９ｅは、最も縮んだ状態になっている。
【００５０】
一方、イメージセンサ１４が副走査方向へ移動すると、図３（ｂ）に示すように、ＦＦＣ１９の可動範囲は、両端部分１９ｄ，１９ｅが変形しつつ、イメージセンサ１４に追従して伸長する。そして、図３（ｂ）に示す位置に達した後、図３（ａ）に示す位置へと復帰する際には、ＦＦＣ１９の可動範囲は、両端部分１９ｄ，１９ｅが元の形状へと戻りつつ、イメージセンサ１４に追従して縮み、最終的に図３（ａ）に示す状態にまで復帰する。
【００５１】
なお、スキャナユニット３は、ＡＤＦスキャナとしても利用可能である。スキャナユニット３がＡＤＦスキャナとして利用される場合には、原稿台３１に原稿が載せられ、後は、ＡＤＦスキャンを指示する操作（例えば、操作パネル８での操作やＰＣからの遠隔操作など）を行うと画像の読み取りを開始する。
【００５２】
より詳しくは、ＡＤＦスキャンを指示する操作が行われると、イメージセンサ１４は、ＡＤＦガラス１２の下方（原稿ホルダ３３の直下となる位置）へ移動し、その位置で静止する。また、上述のローラ群が駆動され、原稿台３１に載せられた原稿は、図３（ａ）に破線で示した搬送経路に沿って搬送される。
【００５３】
具体的には、原稿台３１に載せられた原稿は、供給ローラ２１によって搬送方向下流側へと送り出され、その原稿が分離ローラ２２によって一枚ずつに分離される。また、分離ローラ２２によって一枚ずつに分離された原稿は、メイン搬送ローラ２３へと送り出され、その原稿がメイン搬送ローラ２３の外周沿いにＵターンさせられる。そして、メイン搬送ローラ２３によって送り出される原稿が、さらに排出ローラ２４によって搬送方向下流側へと送られて、その原稿が排出部３２へと排出される。
【００５４】
このように搬送される原稿は、メイン搬送ローラ２３によって送り出された後、排出ローラ２４に到達するまでに、ＡＤＦガラス１２と原稿ホルダ３３との間を通過する。その際、イメージセンサ１４は、複合機１の前後方向を主走査方向、搬送方向を副走査方向として、副走査方向へ移動する原稿から、主走査方向に並ぶ複数の画素を繰り返し読み取ることになる。
【００５５】
［効果］
以上説明した複合機１によれば、イメージセンサ１４が移動する際には、ＦＦＣ１９の可動範囲がイメージセンサ１４に追従して伸縮する。しかも、ＦＦＣ１９の可動範囲は、金属軸１７の下側に通されているので、これら金属軸１７よりも上方への変位が抑制される。
【００５６】
そのため、ＦＦＣの一部に上下方向へＵターンする部分が設けられ、そのＵターン部分の位置をイメージセンサの移動に伴ってＦＦＣ上で変動させる構造とされた画像読取装置とは異なり、ＦＦＣ１９にはＵターン部分としての曲げ癖が付くことがない。
【００５７】
したがって、そのような曲げ癖の付いた箇所が上方へと持ち上げられてＦＢガラス１１に接触する、といった事態に至ることもなく、そのような接触に伴ってＦＢガラス１１を傷つけたりＦＦＣ１９の損傷を招いたりする、といったこともない。また、このように、ＦＢガラス１１とＦＦＣ１９の接触が抑制されるので、両者間の距離を従来以上に接近させることができるようになり、ＦＢ本体部５の筐体の薄型化を図ることも可能となる。
【００５８】
また、上記複合機１では、イメージセンサ１４を副走査方向へと案内するために設けられた金属軸１７が、ＦＦＣ１９の上方への変位を抑制するための延設部材として利用されているので、金属軸１７の他に専用の延設部材を別途設けなくても済み、部品点数の削減や装置構成のコンパクト化を図ることができる。
【００５９】
さらに、上記複合機１では、ＦＦＣ１９の可動範囲が伸びる場合には、可動範囲の両端にある折り曲げられた部分１９ｄ，１９ｅが伸びるので、イメージセンサ１４との接続部分や、筐体側の保持部５ｂによる保持部分に過大な負荷がかかることがない。
【００６０】
また、イメージセンサ１４の移動に伴って可動範囲が縮む場合には、可動範囲の両端にある折り曲げられた部分１９ｄ，１９ｅが縮むので、可動範囲の一部が上方へ大きく湾曲することはなく、ＦＦＣ１９がＦＢガラス１１に接触することもない。
【００６１】
また、上記複合機１によれば、ＦＦＣ１９の可動範囲の両端間には、折り曲げ箇所のない形態にされた部分１９ｆがあるので、この部分１９ｆではＦＦＣ１９の高さ方向寸法を抑制することができる。特に、この折り曲げ箇所のない形態にされている部分１９ｆが、金属軸１７の下側に通されているので、金属軸１７の下側に確保すべきスペースの高さ方向寸法を小さくでき、その分、装置の薄型化を図ることができる。
【００６２】
さらに、上記複合機１によれば、イメージセンサ１４が移動しても、伸縮可能に折り曲げられた部分１９ｄ，１９ｅの上方へはイメージセンサ１４が到来しない。すなわち、上記実施形態でいえば、平面視したときに、伸縮可能に折り曲げられた部分１９ｄ，１９ｅは、イメージセンサ１４の副走査方向位置が変化しても、常にイメージセンサ１４の左方にあり、イメージセンサ１４の右方へ来ることがない。
【００６３】
そのため、伸縮可能に折り曲げられた部分１９ｄ，１９ｅの高さ方向寸法は、図２（ｂ）に示すように、左側面側から見て、キャリッジ１５と重なる位置に達していても問題がない。すなわち、このような状態であっても、キャリッジ１５は、伸縮可能に折り曲げられた部分１９ｄ，１９ｅの上方へ到来しないので、伸縮可能に折り曲げられた部分１９ｄ，１９ｅにおいて、キャリッジ１５とＦＦＣ１９の衝突は起こらないのである。
【００６４】
したがって、伸縮可能に折り曲げられた部分１９ｄ，１９ｅの高さ方向寸法については、キャリッジ１５との衝突を考慮することなく、伸縮量のみを考慮して自由に設定することができる。しかも、その結果、伸縮可能に折り曲げられた部分１９ｄ，１９ｅの高さ方向寸法が多少大きめになったとしても、キャリッジ１５については低い位置に配設することができ、これにより、装置の薄型化を図ることができる。
【００６５】
［変形例等］
以上、本発明の実施形態について説明したが、本発明は上記の具体的な一実施形態に限定されず、この他にも種々の形態で実施することができる。
【００６６】
例えば、上記実施形態では、本発明でいう延設部材の一例として金属軸１７を例示したが、他の部材を延設部材としてもよい。より具体的には、上記実施形態においては、タイミングベルト１８も、本発明でいう延設部材としての役割を果たす状態にあるので、上記金属軸１７及びタイミングベルト１８は、いずれか一方が延設部材として機能しているだけでもよい。例えば、上記のようなタイミングベルト１８が、延設部材としての役割を果たす状態にあれば、金属軸１７は別の位置に設けてあってもよく、その場合に、金属軸１７の下をＦＦＣ１９が通っていなくても問題はない。
【００６７】
また、上記実施形態においては、イメージセンサ１４が待機位置にあるときにＦＦＣ１９が縮み、イメージセンサ１４が動作する際にＦＦＣ１９が伸びるように構成してあったが、これは逆の関係になっていてもよい。すなわち、図３（ｂ）に示した状態がイメージセンサ１４が待機位置にある状態で、イメージセンサ１４が動作すると、図３（ａ）に示した位置に到達する、といった構成になっていてもよい。
【符号の説明】
【００６８】
１・・・複合機、２・・・メインユニット、３・・・スキャナユニット、５・・・ＦＢ本体部、５ａ・・・筐体底部、５ｂ・・・保持部、７・・・ＡＤＦ部、８・・・操作パネル、１１・・・ＦＢガラス、１２・・・ＡＤＦガラス、１３・・・押さえ部材、１４・・・イメージセンサ、１５・・・キャリッジ、１６・・・軸受、１７・・・金属軸、１８・・・タイミングベルト、１９・・・ＦＦＣ、２０・・・制御部、２１・・・供給ローラ、２２・・・分離ローラ、２３・・・メイン搬送ローラ、２４・・・排出ローラ、２６・・・第一ピンチローラ、２７・・・第二ピンチローラ、２８・・・第三ピンチローラ、３１・・・原稿台、３２・・・排出部、３３・・・原稿ホルダ。
【図１】
0005533605.tif 000002
【図２】
0005533605.tif 000003
【図３】
0005533605.tif 000004
【図４】
0005533605.tif 000005